(57)【要約】【課題】  シャッタチャンスを逃すことなく、簡単な操作でオートブラケットモードによる撮影が行なえる撮影装置を提供する。【解決手段】  レリーズボタン１０７が所定時間以上押し続けられたら、絞りとフォーカスレンズ１０１ａとを備える撮影光学系、およびＣＣＤ１１０、さらに画像信号処理１１３とを備えた撮影部により、画質に影響を及ぼす複数の条件のうちの少なくとも１つの条件が調整された、同一の被写体の複数の画像を表わす画像信号を生成する。それらの画像信号を一旦画像再生処理回路１１３内のフレームメモリに記憶しておきＬＣＤモニタ１０９ａ上にそれらの画像信号に基づく画像を表示する。ユーザの選択操作によりユーザの気に入った画質の画像が選択されたら、選択された画像を表わす画像信号を記録メディア１４０に記録する。【選択図】図２
2006173772.tif 000002
【特許請求の範囲】
【請求項１】
撮影ボタンの押下に応じて、被写体の画像を表わす画像信号を生成して記録する撮影を実行する撮影装置において、
撮影ボタンの押下が所定時間以内のときに１枚の画像を表わす画像信号を生成する通常モードによる撮影を行なうとともに、該撮影ボタンが該所定時間を越えて押下され続けたときに、画質に影響を及ぼす複数の条件のうちの少なくとも１つの条件が調整された、同一の被写体の複数の画像を表わす複数の画像信号を生成するオートブラケットモードによる撮影を行なう撮影部と、
前記オートブラケットモードによる撮影で得られた複数の画像信号の中から操作に応じて所望の画像信号を選択する選択部とを備えたことを特徴とする撮影装置。
【請求項２】
画質に影響を及ぼす複数の条件の中から前記オートブラケットモードによる撮影の際に調整される条件を操作に応じて指定する指定部を備えたことを特徴とする請求項１記載の撮影装置。
【請求項３】
前記指定部は、複数の条件の指定が可能であって、
前記撮影部は、前記オートブラケットモードによる撮影において、前記指定部により複数の条件が指定されているときに、指定されている複数の条件それぞれを調整した各組合せに対応する複数の画像信号を生成するものであることを特徴とする請求項２記載の撮影装置。
【発明の詳細な説明】
【技術分野】
【０００１】
本発明は、撮影ボタンの押下に応じて、被写体の画像を表わす画像信号を生成して記録する撮影を実行する撮影装置に関する。
【背景技術】
【０００２】
撮影装置の中には連写機能を備えたものも多く、その連写機能の一つとしてオートブラケットモードを備えたものもある（例えば特許文献１〜特許文献４参照）。このオートブラケットモードが指定されると、画質に影響を及ぼす複数の条件のうちの少なくとも１つの条件が調整された、同一の被写体の複数の画像を表わす画像信号が生成される。つまり、このオートブラケットモードが指定され撮影が行なわれると、同じ被写体が異なる撮影条件で複数回撮影され、同じ被写体でありながら異なる画質の画像が複数枚生成される。このように画質の異なる画像が複数枚得られたら撮影者はそれらの画像の中から気に入った画像を選択することができる。
【０００３】
特許文献１のものでは、オードブラケットモードが指定されたら、一回の撮影操作に応じて異なるいくつかの露出で複数回、被写体が撮影され、さらにその複数回の撮影で得られた画像のうち、自分が撮影したかった露出で撮影された被写体を表わす画像が操作により選択されたらその選択された画像データが記録メディアに記録されるようになっている。また特許文献２のものでは、一回の撮影操作に応じて異なるいくつかのホワイトバランスで複数回、被写体が撮影され、その複数回の撮影で得られた画像のうち、自分の好きなホワイトバランスで撮影された被写体を表わす画像が撮影者によって選択されるようになっている。
【０００４】
しかしながら、このオートブラケッティング撮影を行なう場合には、撮影を行なう前に一々オートブラケットモードを選択する操作を行なってから撮影を行なわなければならないため、オードブラケットモードを選択する操作を行なっている間にシャッタチャンスを逸してしまうことがある。
【特許文献１】特開平１１−４３８０号公報
【特許文献２】特開２００１−３３３４３２号公報
【特許文献３】特開平８−２９８２８号公報
【特許文献４】特開平７−１４０５０９号公報
【発明の開示】
【発明が解決しようとする課題】
【０００５】
本発明は、上記事情に鑑み、シャッタチャンスを逃すことなく、簡単な操作でオートブラケットモードによる撮影が行なえる撮影装置を提供することを目的とする。
【課題を解決するための手段】
【０００６】
上記目的を達成する本発明の撮影装置は、撮影ボタンの押下に応じて、被写体の画像を表わす画像信号を生成して記録する撮影を実行する撮影装置において、
撮影ボタンの押下が所定時間以内のときに１枚の画像を表わす画像信号を生成する通常モードによる撮影を行なうとともに、その撮影ボタンがその所定時間を越えて押下され続けたときに、画質に影響を及ぼす複数の条件のうちの少なくとも１つの条件が調整された、同一の被写体の複数の画像を表わす複数の画像信号を生成するオートブラケットモードによる撮影を行なう撮影部と、
上記オートブラケットモードによる撮影で得られた複数の画像信号の中から操作に応じて所望の画像信号を選択する選択部とを備えたことを特徴とする。
【０００７】
上記本発明の撮影装置によれば、上記撮影ボタンが所定の時間を越えて押下され続けたときに、画質に影響を及ぼす複数の条件のうちの少なくとも１つの条件が調整された、同一の被写体の複数の画像を表わす画像信号を生成するオートブラケットモードによる撮影が上記撮影部により行なわれ、その撮影部による撮影により生成された複数の画像信号の中から所望の画像を表わす画像信号が上記選択部により選択される。
【０００８】
このようにすると、シャッタチャンスを逃すことなく、簡単な操作でオートブラケットモードによる撮影が行なえる撮影装置が実現される。
【０００９】
ここで、画質に影響を及ぼす複数の条件の中から上記オートブラケットモードによる撮影の際に調整される条件を操作に応じて指定する指定部を備えた態様であることが好ましい。
【００１０】
そうすると、自分が調整したい複数の条件の中からオートブラケットモードによる撮影の際に調整される条件が操作に応じて上記指定部により指定された後、撮影ボタンの所定時間を越える長押しに応じたオートブラケットモードによる撮影によって、上記指定部により指定された条件が調整され撮影が行なわれる。
【００１１】
上記条件としては、露出、ホワイトバランス、ピント、被写界深度、シャープネス、コントラストなど様々なものが考えられるが、これらを個別に調整しても、複数組み合わせて調整しても良い。
【００１２】
そこで、上記指定部は、複数の条件の指定が可能であって、
上記撮影部は、上記オートブラケットモードによる撮影において、上記指定部により複数の条件が指定されているときに、指定されている複数の条件それぞれを調整した各組合せに対応する複数の画像信号を生成するものであることが好ましい。
【００１３】
そうすると、レリーズボタンを押し続けることで、様々な画質の画像を得ることができるようになる。
【発明の効果】
【００１４】
以上、説明したように、シャッタチャンスを逃すことなく、簡単な操作で画質に影響を及ぼす複数の条件のうちの少なくとも１つの条件が調整された、同一の被写体の複数の画像を表わす画像信号を生成するオートブラケットモードによる撮影が行なえる撮影装置が実現される。
【発明を実施するための最良の形態】
【００１５】
以下図面を参照して本発明の実施の形態を説明する。
【００１６】
図１は本発明の一実施形態であるデジタルカメラの外観を示す図である。
【００１７】
図１（ａ）は正面図、（ｂ）は上面図、（ｃ）は側面図、（ｄ）は背面図であり、図１（ｅ）は電源が未投入でレンズバリアが撮影レンズ前面を覆っている状態を示す図である。
【００１８】
図１（ａ）〜（ｃ）に示す撮影レンズ１０１からカメラ１００内部に配備されている固体撮像素子まで被写体の像が導かれるようになっている。なお、図１（ａ），図１（ｃ）には電源が投入され、撮影レンズ１０１が繰り出された後のカメラの外観が示されているが、図１（ｂ）の脇の図１（ｅ）には電源が投入される前、レンズ１０１前面がレンズバリア１０１ａに覆われている状態も示されている。電源が投入されると、この図１（ｅ）の状態からレンズバリア１０１１が開放されて、図１（ａ）、図１（ｃ）に示すように撮影レンズ１０１が繰り出されて撮影準備が整えられる。
【００１９】
このデジタルカメラ１００ではユーザに自在に撮影を行なわせるため、図１（ｄ）に示すデジタルカメラ１００の背面に多数の操作子が設けられている。その多数の操作子の中には、このデジタルカメラ１００を作動させるための電源投入用のパワースイッチ１０２、撮影モードと再生モードとを切替自在にする撮影・再生モード切替レバー１０３、十字キー１０４、メニューボタン／ＯＫ釦１０５ａ、バック釦１０５ｂ、撮影モードを指定するモードダイヤル１０６、フラッシュ１２０をポップアップさせるポップアップスイッチ１０８などがある。
【００２０】
撮影・再生モード切替レバー１０３により撮影モード１０３ａが選択され、このデジタルカメラ１００の上面にあるレリーズ釦１０７が操作されると、撮影の開始指示がデジタルカメラ１００内部の信号処理部へと伝えられ、撮影処理がデジタルカメラ１００内部で行なわれる。また、このデジタルカメラ１００には、マイク１００２（図１（ａ）やそのマイク１００２で収録された音声を再生するためのスピーカ１００３（図１（ｄ））も配備されており、動画像を撮影する場合などにおいては、被写体側の音声をマイク１００２で収録してその収録した音声を画像データに関連づけて記録することもでき、またその記録した動画像データに基づく動画像を音声とともに再生することもできる。
【００２１】
また、デジタルカメラ１００背面側にはスルー画像を表示するためのＬＣＤパネル１０９ａが設けられており、このＬＣＤパネル１０９ａ上には、このデジタルカメラ１００に行なわせる動作をユーザに選択させる選択メニューなども表示される。なお、このＬＣＤパネル１０９ａをファインダとして使用しフレーミングを行なうことも、図１（ａ）に示す直視型のファインダ１００１を使用してフレーミングを行なうこともできる。
【００２２】
また、撮影・再生モード切替レバー１０３が再生モード１０３ｂに切り替えられると、記録メディア１４０に記録されている画像データのいずれかが読み出されてその画像データに基づく画像がＬＣＤパネル１０９ａに表示される。
【００２３】
さらに、図１（ｃ）に示すカメラ側面には、外部機器との接続用にＴＶモニター端子１００４、ＵＳＢ端子１００５、ＤＣＩＮ端子１００６がそれぞれ設けられており、これらの端子１００４〜１００６に専用のケーブルを接続すると、外部機器とこのデジタルカメラを接続することができる。例えばＴＶモニタ端子１００４を用いてこのデジタルカメラとＴＶモニタを接続すると、デジタルカメラ内に記録されている画像データに基づく画像をＴＶモニタ上に表示することができ、またＵＳＢ端子１００５を用いてこのデジタルカメラとパーソナルコンピュータ（以下ＰＣという）を接続すると、ＰＣの表示画面上に画像を表示することもできる。なおＤＣＩＮ端子１００６に外部電源を接続してデジタルカメラ内部の電池ではなく外部電源から供給される電力によってこのデジタルカメラ１００を動作させることもできる。
【００２４】
図２は図１に示すデジタルカメラ１００の内部構成を示す図である。
【００２５】
このデジタルカメラ１００の動作は統括的にＣＰＵ１１１により制御される。このＣＰＵ１１１内にはＲＯＭが内蔵されており、その内蔵されたＲＯＭ内にプログラムが格納されている。このプログラムの手順にしたがってデジタルカメラ１００全体の動作がＣＰＵ１１１により制御される。図１（ｄ）に示す電源スイッチ１０２、撮影・再生モード切替レバー１０３、そのほかのスイッチ１０４〜１０８がこのＣＰＵ１１１にすべて接続されており、それらのスイッチのうちいずれかが操作されるとＣＰＵ１１１に操作信号が入力される。
【００２６】
まず、電源スイッチ１０２が投入されると、ＣＰＵ１１１により電源スイッチ１０２が投入されたことが検知され、図１（ｅ）に示すレンズバリア１０１１が開放され、図１（ｃ）に示すように撮影レンズ１０１が繰り出される。このときには、撮影レンズ１０１を繰り出す前にバリアセンサ１０１１ａの出力が変化したことをＣＰＵ１１１で検出した後、撮影レンズ１０１が繰り出される。このように撮影レンズ１０１が繰り出されたら、撮影処理又は再生処理がＣＰＵ１１１により開始される。ＣＰＵ１１１は、電源が投入されたときに撮影・再生モード切替レバー１０３の切替位置を検知して、その検知した切替位置が撮影モード１０３ａであったら撮影処理を開始して画像再生処理回路に指示してスルー画像をＬＣＤパネル１０９ａ上に表示させ、切替位置が再生モード１０３ｂであったら記録メディア１４０に記録されている画像データをメディアコントロール回路１１５に読み出させさらにバスを介して画像再生処理回路１１７にその画像データを供給させている。この画像再生処理回路１１７に、画像データを表示用画像データへ変換する処理を行なわせ、さらにその表示用画像データをＬＣＤドライブ回路１０９へ供給させ、そのＬＣＤドライブ回路１０９にその画像データに基づく画像を表示させている。
【００２７】
ここで、撮影処理について図２を参照して動作を簡単に説明しておく。
【００２８】
ＣＰＵ１１１は、モード切替レバー１０３が図２に示すように撮影モード１０３ａに切り替えられていることを検知して撮影処理を開始し、ＣＣＤ１１０に結像されている被写体を表わす画像データを所定の間隔ごとにＣＤＳＡＭＰ１１１に出力させる。この所定の間隔ごとに出力される画像データを、Ａ／Ｄ変換部１１２以降の信号処理段で処理してスルー画像を得て、そのスルー画像をＬＣＤパネル１０９ａに表示させている。そうすると、撮影レンズ１０１が捉えた範囲の被写体があたかも動画像のようになってＬＣＤパネル１０９ａ上に表示される。
【００２９】
このＬＣＤパネル１０９ａ上に表示されているスルー画像に基づいてユーザによって任意にフレーミングが行なわれ撮影が行なわれるため、このデジタルカメラ１００を向けた方向の被写体がすぐにスルー画像として表示されるように、ＡＦ検出回路１３０で常に合焦点位置を検出して撮影レンズ１０１の中のフォーカスレンズ１０１ａをＣＰＵを介してピント調整機構により合焦点位置に移動させている。このピント調整機構は、フォーカスレンズ１０１ａと、ＡＦ検出回路１３０の合焦点位置の検出結果に基づいてＣＰＵの指示に応じてそのフォーカスレンズ１０１ａを駆動するモータ１０１ｃと、そのモータ１０１ｃによりフォーカスレンズ１０１ａを移動させるリードスクリュー（図示せず）、そのリードスクリューの回転により移動したフォーカスレンズ１０１ａの位置を検出するセンサ１０１ｂなどからなる。
【００３０】
また、このピント調整機構でのピント調整のほか、ＡＥ＆ＡＷＢ検出部１３１によって検出された被写界輝度に基づいてＣＰＵ１１００がドライバ（図示せず）に指示してそのドライバ（図示せず）にモータを駆動させることにより小絞、あるいは開放絞り（図示せず）を切り替えさせたり、ＣＰＵ１１００が、ホワイトバランス調整のため、画像信号処理回路内のホワイトバランス回路のＲ、Ｇ、Ｂの各色信号のゲインを調整したりして、鮮明なスルー画像をＬＣＤパネル１０９ａ上に表示させるようにもしている。ユーザはこのスルー画像を見ながらフレーミングを行い、シャッタチャンスにレリーズ操作を行なう。
【００３１】
レリーズ釦１０７が押下されレリーズ操作が行なわれたら、ＣＰＵ１１１は、ＣＣＤ１１０にレリーズ操作時の画像を結像させるため、タイミングジェネレータ（図示せず）からＣＣＤ１１０にタイミング信号を供給させる。このタイミング信号はＣＣＤ１１０に露光開始および露光終了を告げるものでありいわゆるシャッタスピードに相当する。ＣＰＵ１１１はこの露光終了時にＣＣＤ１１０から画像データ（ＲＧＢの光の３原色Ｒ，Ｇ、Ｂからなる）を出力させ、その出力させた画像データが後段のＣＤＳＡＭＰ１１１に供給される。ＣＤＳＡＭＰ１１１では、ＣＣＤ１１０から出力された画像データの雑音の低減が行なわれその雑音が低減された画像データがＡ／Ｄ変換部１１２に供給される。このＡ／Ｄ変換部１１２でデジタル信号に変換されたＲＧＢからなる画像データが画像信号処理回路１１３に供給され、この画像信号処理回路１１３でＲＧＢ信号からＹＣ信号への変換が行なわれる。さらにこのＹＣ信号が圧縮伸張処理回路１１４に供給され圧縮されてメディアコントロール回路１１５を介してその圧縮された画像データが記録メディア１４０に画像ファイルとして記録される。このように絞り（不図示）とフォーカスレンズ１０１ａとを備える撮影光学系、および撮像素子（ここではＣＣＤ）１１０、さらに画像信号処理回路１１３とＣＰＵ１１００とを備えた撮影部により、撮影が行なわれ記録メディア１４０に撮影により得た画像信号が記録される。
【００３２】
また、このデジタルカメラ１００には撮影モードを指定する撮影モードダイヤル１０６が配備されており、その撮影モードダイヤル１０６で指定することができる撮影モードの中には動画モード等もある、その動画撮影モードが選択されると、動画像に基づく動画像データのほかその動画像データとともに音声データも記録される。この音声データは、動画像を撮影しているときにマイク１００２を経由して収録される音声であり、そのマイク１００２で収録された音声が音声データとなって音声処理回路１１６に供給され、この音声処理回路１１６でスピーカ１００３に適した音声データに変換される。
【００３３】
ＣＰＵ１１１は、この音声データが動画像撮影中のものであると判断した場合には、その音声データと動画像データとを関連付けて、動画像データファイルとして記録メディア１４０に記録する。
【００３４】
さらに本実施形態のデジタルカメラには連写機能が配備されており、所定時間を越えてレリーズボタン１０７が押し続けられると、自動的に連写が行なわれるようになっている。この連写にあっては、通常の連写モード、もしくはオートブラケットモードのいずれかを選択することが自在な構成となっている。
【００３５】
以上のような構成のデジタルカメラで撮影が行なわれる。
【００３６】
ここで、本実施形態においては本発明にいう撮影条件を指定する指定部を設けたデジタルカメラを例として掲げているので、その指定部の構成を説明する。
【００３７】
この指定部は、ＬＣＤモニタ１０９ａ上の選択項目上のカーソルを順次移動させるときに操作される十字キー１０４と、ＬＣＤモニタ１０９ａと、このＬＣＤモニタ１０９ａを駆動するドライバー１０９と、そのドライバ１０９に画像信号を供給する画像再生処理回路１１７と、その画像再生処理回路に指示を与えるＣＰＵ１１００とからなる。
【００３８】
図３は、その指定部の構成要素の一つであるＬＣＤモニタ１０９ａ上に表示される選択メニュー画面等を示す図であり、図４は、図３の中の「ピント位置」が指定され前ピン、ジャスピン、後ピンというようにフォーカスレンズを移動させての３段階で撮影が行なわれた場合の撮影画像を示す図であり、図５は、図３の「色味」が指定され段階的に色味の一つであるコントラストを変化させた場合の撮影画像を示す図である。
【００３９】
撮影モードダイヤル１０６で撮影モードが指定されている状態にあるときにメニューボタンが押されたら、図３に示す選択メニュー画面が表示される。
【００４０】
図３（ａ）に示す選択メニュー画面の中の選択項目にあるオートブラケットモードが十字キー１０４の操作によりＬＣＤモニタ１０９ａ上に表示されている選択項目の間を箱状のカーソルが移動した後、その箱状のカーソルがいずれかの選択項目上に置かれたままＯＫボタン１０５ａが押されて指定が行なわれると、ページが切り替わり、図３（ｂ）に示す選択画面に切り替わる。この選択画面の中の例えばピント位置が選択されると、図３（ｃ）に示すパラメータ設定画面に切り替わり、撮影条件として前ピン、ジャスピン、後ピンの３つの位置で撮影を行なうことがユーザに対し示され、撮影条件の一つとして被写界深度をどの程度にして撮影を行なうかを指定しなさいということがユーザに促されるようになっている。
【００４１】
ここで、その促しに応じて、例えば、番号２  深（小絞り）が十字キーの操作により設定された後、このデジタルカメラでオートブラケットモードによる撮影が行なわれると、ＣＰＵ１１００の指示に応じて小絞りが設定され、まずフォーカスレンズが、前ピン位置に配置され撮影が行なわれ、続けてジャスピン位置に配置され撮影が行なわれ、最後に後ピン位置に配置され撮影が行なわれる（図４（ａ）参照）。この図４に示すように絞りを絞り込んで小絞りにすると被写界深度が深い状態になり、後方にある花を少しぼかして画像を撮影したり、また前方にある花を少々ぼかして撮影したり、双方とも鮮明に撮影したりすることができる。なお、被写界深度の調整にあたってはＣＣＤの電子シャッタのシャッタスピードも調整され、小絞り状態においては相対的に長いシャッタスピードが設定されて撮影が行なわれている。
【００４２】
また、これに対し図３（ｃ）で番号０  浅（開放絞り）が設定されると、オートブラケット撮影時に開放絞りが設定され、上記と同様の撮影が今度は被写界深度の浅い状態で行なわれる（図４（ｂ）参照）。このように絞りが開放され被写界深度が浅くなると、後方にある花がかなりぼけて前方にある花のみが鮮明に撮影されたり、後方の花がかなりぼけて前方の花のみが鮮明に撮影されたりする。
【００４３】
このように本実施形態のオートブラケットモードでは、画質に影響を及ぼす複数の条件（上記例ではピント位置、露出、色味）のうちの少なくとも１つの条件が調整された、同一の被写体の複数の画像を表わす画像信号が生成される。
【００４４】
また、本実施形態のデジタルカメラでは、撮影光学系内のフォーカスレンズや絞りの径、撮像素子の電子シャッタスピードを変えるだけでなく、後段の画像信号処理回路１１３の処理パラメータを変更して一回の撮影により得た画像信号のシャープネスやコントラストを変更することもできるようにしている。
【００４５】
この実施形態では、ＣＰＵ１１００が、図３（ｅ）に示すＬＣＤモニター上に表示される選択画面上でのパラメータ設定を受けて、その設定に応じたパラメータを画像信号処理回路１１３に設定して画像信号処理回路１１３に色味の変更に関する処理を行なわせるようにしている。例えばシャープネスであれば、画像信号処理回路１１３内に配備されているアパーチャ補正回路などに設定される補正係数が変更され、またコントラストであれば、画像信号処理回路内にセットされる色変換行列の行列係数が変更される。
【００４６】
図３（ｅ）に示すようにコントラストが標準あたり（図中黒で塗り潰された三角形の頂点が標準あたりを指している）に設定されていると、撮影時に得られた画像信号に対してＹＣＣ信号を求めるために掛け合わされる、その標準あたりに対応する色変換行列が画像信号処理回路１１３にセットされＹＣＣ信号が生成されそのＹＣＣ信号が画像信号処理回路１１３内のフレームメモリに記憶される。
【００４７】
このときには撮影時に得られた画像信号も別のフレームメモリ内に記憶されているので、標準とは異なる、コントラストが強調されるような色変換行列が画像信号処理回路にセットされると今度は背景と被写体のコントラストがくっきりとするような特性を持つＹＣＣ信号が画像信号処理回路内のフレームメモリに記憶され、さらにコントラストがなめらかになるような色変換行列が画像信号処理回路にセットされると、あまり被写体と背景とのコントラストがはっきりしないような特性を持つＹＣＣ信号が画像信号処理内のフレームメモリにそれぞれ記憶される。
【００４８】
このようにして３つの画質の異なる画像信号が３つのフレームメモリそれぞれに記憶されたら、それらのフレームメモリに記憶された画像データに基づく画像（図５参照）がＬＣＤモニタ１０９ａ上にマルチ画面表示されたり、あるいは十字キーの操作によりコマ送り表示されたりする。
【００４９】
上記図３に示す選択メニューを表示画面に表示する際、メニューボタン１０５ａの操作を検知して画像処理再生回路に表示指示を与えるＣＰＵ１１００、さらにその画像再生処理回路の指示に応じてＬＣＤモニタ上に選択メニューを表示するＬＣＤドライブ回路１０９、またＣＰＵ１１００に、表示画面上の選択項目の中のいずれが指定されたかを伝える十字キーとが本発明にいう指定部にあたる。
【００５０】
このようにして図４（ａ）に示す選択メニュー画面によりオートブラケットモードが指定された後、このデジタルカメラで撮影が行なわれレリーズボタン１０７が所定の時間以上長押しされたときには、オートブラケットモードによる撮影が行なわれる。
【００５１】
また、本実施形態のデジタルカメラ１では、オートブラケットモードによる撮影が行なわれた場合には、前述したように図４、図５に示すような複数枚の画像を表わす画像データが記録メディア１４０にすぐに記録されずに、画像再生処理回路内のいつくかのフレームメモリにそれぞれ記憶されるようになっている。このいくつかのフレームメモリに記憶されている画像データがオートブラケットモード撮影後にそれらのフレームメモリのいずれかから、あるいはすべてから読み出されてＬＣＤモニタ上に表示されるようになっている。
【００５２】
ここで、自分の気に入ったピント位置（前ピン、ジャスピン、後ピン）のうちのいずれかが十字キー１０４およびＯＫボタン１０５ａにより選択されたら、その選択された画像を現す画像データが記録メディア１４０に記録される。
【００５３】
このようにレリーズボタン１０７が押下から復帰したことを受けて、画像処理再生回路１１７に表示指示を与えるＣＰＵ１１００、さらにその画像再生処理回路１１７の指示に応じてＬＣＤモニタ１０９ａ上に撮影画像を表示するＬＣＤドライブ回路１０９、またＣＰＵ１１００に、ＬＣＤモニタ１０９ａ上の撮影画像の中のいずれが指定されたかを伝える十字キー１０４及びＯＫボタン１０５ａとが本発明にいう選択部にあたる。
【００５４】
このようにしてレリーズボタン１０７の所定時間を越える長押しにより画質に影響を及ぼす複数の条件のうちの少なくとも１つの条件が調整された、同一の被写体の複数の画像を表わす画像信号を生成するオートブラケットモードによる撮影が行なわれ、撮影後の選択操作により自分の気に入った画質の画像を表わす画像データが記録メディアに記録される。
【００５５】
図６は、図３に示す選択メニュー画面及び指定画面により画質を定める撮影条件が指定された後、このデジタルカメラによりオートブラケットモードでの撮影が行なわれたときにＣＰＵ１１００が行なう処理の手順を示すフローチャートである。
【００５６】
ステップＳ６０１でレリーズボタンの押下時間が所定の時間を越えたかどうかを判定する。ここで、超えていないと判定したらＮｏ側に進みステップＳ６０２へ進んで通常モード撮影を行なって記録メディアに静止画像を表わす静止画像データを記録してこのフローの処理を終了する。
【００５７】
ステップＳ６０１でレリーズボタン１０７の押下時間が所定の時間を越えていると判定したら、ステップＳ６０３でオートブラケットモードが設定されているかどうかを判定する。ここでオートブラケットモードが設定されていなかったら、Ｎｏ側へ進みステップＳ６０４で通常の連写撮影を行なって次のステップＳ６０５で記録メディアに連写撮影により得たいくつかのコマ画像を記録してこのフローの処理を終了する。
【００５８】
ステップＳ６０３でオートブラケットモードが設定されていると判定したら、ステップＳ６０６へ進み撮影条件の指定が有ったかどうかを判定する。ステップＳ６０６で特に指定がないと判定した場合には、標準撮影（露出をアンダー、標準、オーバーの３段階に切り替えて撮影）を行なって標準ブラケット撮影により得られた画像データを記録メディア１４０に記録してこのフローの処理を終了する。
【００５９】
ステップＳ６０６で撮影条件の指定があったと判定したら、Ｙｅｓ側に進みステップＳ６０８でピント位置、露出、色味の値としてどのような値が設定されているかを確認する。このステップＳ６０８で、例えばピント位置が番号０と設定されていたら、絞りを開放絞りにしてフォーカスレンズを前ピン、ジャスピン、後ピンの３つの位置にそれぞれ移動させて撮影を行なう。また露出においては、ジャスピン位置で、例えば絞りを小絞り、標準絞り、開放絞りというように切り替えてアンダー、標準、オーバの３段階の露出で撮影を行なう（ここではレリーズボタンの押下中に、ジャスピンで３回撮影を行なっているが、レリーズボタンの押下時間が長ければ、さらに前ピンで露出を３段階、後ピンで露出を３段階ずつ切り替えて撮影を行なうようにしても良い）。それぞれの撮影により得た画像信号はＹＣＣ信号に変換されて、画質として露出の異なる画像を表わす３種類のＹＣＣ信号、ピント位置の異なる画像を表わす３種類のＹＣＣ信号が画像再生処理回路１１３内のフレームメモリにそれぞれ記憶される。
【００６０】
また色味が設定され、シャープネスやコントラストのパラメータが変更されていたら、図３に示す黒で塗り潰された三角印の１頂角が示すところに対応する画像処理パラメータを画像信号処理回路１１３に設定して撮影により得られた画像データに画像処理を行なう。この色味の場合には、一回の撮影により得られた画像データに、後になってから画像信号処理回路１１３で画像処理を行なうことができるので、レリーズボタン１０７の押下時間が所定時間を越えたときに、撮影により得た画像信号に、図３に示す標準に対応する処理パラメータを掛け合わせて得たＹＣＣ信号、またその処理パラメータをプラス側にオフセットしたパラメータを掛け合わせて得たＹＣＣ信号、さらにマイナス側にオフセットしたパラメータを掛け合わせて得たＹＣＣ信号それぞれが画像処理内のフレームメモリに順次記憶される。
【００６１】
ここで、レリーズボタンが元の位置に復帰したら、それらの画像信号処理回路内のフレームメモリにある、露出の異なる画像を表わす３種類のＹＣＣ信号、ピントの異なる画像を表わす３種類のＹＣＣ信号、色味の異なる画像を表わす３種類のＹＣＣ信号に基づく画像が同時にあるいは順次、表示画面上に表示される。なお、レリーズボタン１０７が所定の時間を越えて画像処理を行なおうとしているときに元の位置に復帰してしまった場合には、撮影条件の変更が行なわれて撮影が行なわれたところ、あるいは画像信号処理回路に処理パラメータが設定されてＹＣＣ信号が得られたところまでのＹＣＣ信号がフレームメモリ内に記憶され、その記憶されたＹＣＣ信号に基づく画像が表示されるようになっている。
【００６２】
ここで、十字キー１０４とＯＫボタン１０５ａの操作により表示されている画像の中から少なくとも一つの画像が選択されたら選択された画像を表わすＹＣＣ信号からなる画像信号が記録メディア１４０に記録されてこのフローの処理が終了する。
【００６３】
ステップＳ６１１で、ＯＫボタン１０５ａの操作がない場合には、Ｎｏ側へ進み、‘撮影した画像が記録されませんが、よろしいですか’の警告メッセージを出し、ここでＯＫボタン１０５ａが押されたら、このフローの処理を終了し、キャンセルボタン１０５ｂが押されたら、ステップＳ６１１へ戻ってステップＳ６１１の処理処理を繰り返す。
【００６４】
以上説明したように、シャッタチャンスを逃すことなく、簡単な操作で画質に影響を及ぼす複数の条件のうちの少なくとも１つの条件が調整された、同一の被写体の複数の画像を表わす画像信号を生成するオートブラケットモードによる撮影が行なえる撮影装置が実現される。
【図面の簡単な説明】
【００６５】
【図１】本発明の一実施形態であるデジタルカメラの外観を示す図である。
【図２】図１に示すデジタルカメラ１００の内部構成を示す図である。
【図３】本発明にいう指定部の構成要素の一つであるＬＣＤパネル上に表示される選択メニュー画面等を示す図である。
【図４】前ピン、ジャスピン、後ピンに対応する位置にフォーカスレンズを移動させて各ピント状態で撮影が行なわれた場合の撮影画像を示す図である。
【図５】図５は、段階的にコントラスト（色味）を変化させた場合の撮影画像を示す図である。
【図６】図３に示す選択メニュー画面及び指定画面により画質を定める撮影条件が指定された後、図１に示すデジタルカメラによりオートブラケットモードでの撮影が行なわれたときにこのデジタルカメラが備えるＣＰＵ１１００が行なう処理の手順を示すフローチャートである。
【符号の説明】
【００６６】
１００    デジタルカメラ
１００１    ファインダ
１００２    マイク
１００３    スピーカ
１００４    ＴＶモニタ端子
１００５    ＵＳＢ端子
１００６    ＤＣ入力端子
１０１    撮影レンズ
１０１１    ホームポジションセンサ
１０１２    モータ
１０１３    ドライバ
１０１ａ    レンズバリア
１０１ｂ    バリアセンサ
１０１ｃ    モータ
１０１ｄ    ドライバ
１０２    電源スイッチ
１０３    撮影・再生モード切替レバー
１０３ａ    撮影モード
１０３ｂ    再生モード
１０４    十字キー
１０５ａ    ＯＫ釦
１０５ｂ    バック釦
１０６    撮影モードダイヤル
１０７    レリーズ釦
１０８    ポップアップスイッチ
１０９    ＬＣＤドライブ回路
１０９ａ    ＬＣＤパネル
１１０    ＣＣＤ
１１１    ＣＤＳＡＭＰ
１１２    Ａ／Ｄ変換部
１１３    画像信号処理回路
１１４    圧縮・伸張処理回路
１１５    メディアコントロール回路
１１６  音声処理回路
１１６ａ    音声再生回路
１１７    画像再生処理回路
１１８    ビデオエンコード回路
１３０    ＡＦ検出回路
１３１    ＡＥ＆ＡＷＢ検出回路
【図１】
2006173772.tif 000003
【図２】
2006173772.tif 000004
【図３】
2006173772.tif 000005
【図４】
2006173772.tif 000006
【図５】
2006173772.tif 000007
【図６】
2006173772.tif 000008